(57)【特許請求の範囲】
【請求項１】
スパイクが装着される樹脂製の硬質板と、引張時に抗力を発揮し、かつ、圧縮時に抗力を発揮しない布帛状の引張材とを備え、
前記硬質板は、足の前後方向に沿った断面において、
足のアーチの下方を覆い下方に向かって凸となるように湾曲した湾曲部と、
前記アーチの前方において爪先を下方から覆う前足部と、
前記アーチの後方において踵を下方から覆う後足部とが一体に連なっており、
前記引張材は、前記前後方向に離れた第１および第２固着部において前記硬質板の上面に固着されており、前記湾曲部の少なくとも一部において前記硬質板の上面に固着されておらず、かつ、硬質板の上面から離間しており、
前記湾曲部の曲率が小さくなるように前記硬質板を変形させようとすると前記引張材に張力が作用し、
一方、前記曲率が大きくなるように前記硬質板を変形させようとすると前記引張材に緩みが生じるように設定され、
走行中の着地時に踵が落ち込もうとすると、前記引張材に張力が作用して前記湾曲部の曲率が小さくなるのを抑制して前記踵の落ち込みを抑制し、
一方、走行中の足の背屈時に前記引張材に緩みが生じて前記硬質板の屈曲を許容するスパイクシューズ。
【請求項２】
請求項１において、前記引張材がアッパーの底部で形成されているスパイクシューズ。
【請求項３】
請求項１において、前記引張材がアッパーと前記硬質板との間に配置されているスパイクシューズ。
【請求項４】
請求項１〜３のいずれか１項において、前記引張材の第１固着部の後端が母趾のＭＰ関節よりも後方の位置に設定されているスパイクシューズ。
【請求項５】
請求項１〜４のいずれか１項において、前記湾曲部は母趾のＭＰ関節とショパール関節の間に設けられているスパイクシューズ。
【請求項６】
請求項５において、前記引張材は、第３趾の中足骨の下方において前記硬質板の上面から上方に離間しているスパイクシューズ。
【発明の詳細な説明】
【技術分野】
【０００１】
本発明はスパイクが装着される硬質板を備えたスパイクシューズに関するものである。
【背景技術】
【０００２】
一般に低速の走行動作（以下「ランニング動作」という。）における重心移動は、踵から着地し中足部の主に外側を通り、さらに前足部の母趾球付近を通って爪先部で離地する。
一方、陸上競技の短距離種目に代表される高速走行動作（以下「スプリント動作」という。）における重心移動は、踵から着地せず、前足部外側、小趾付け根付近から着地が始まり、踵を接地させることなく、そのまま母趾球付近を通って爪先部で離地する動作となる。
【０００３】
かかるスプリント動作においては、着地の際、踵が路面に向って下方に落ち込んでしまう。踵の落ち込みが生じると、重心移動が一旦滞留したり、後退したりすることになり、スムーズな重心移動をおこなうことができない。この現象は、スプリント動作における高速走行速度の維持や記録向上の面からもタイムロスの一因と云われている。
【０００４】
踵の落ち込み抑制を図るスパイクシューズとしては、下記のような種々の技術が開示されている。
【特許文献１】特許第２８７１５３７号（図３）
【特許文献２】特公平０５−７２８０１号（図１、図３）
【特許文献３】特開２００５−９５４８３号（図１）
【特許文献４】特開２００５−１０２７８８（図３〜図５）
【０００５】
特許文献１の発明は中足部に設けられた内外２つのリブによって踵の下降を防止するので、着地時に硬いリブが接地する。このため、着地に伴う突き上げ感が生じる。
また、リブの部分のソールの厚みが著しく増大するので、走行時のソールの屈曲（背屈）を妨げるおそれがある。
【０００６】
特許文献２の発明は、着地時にソールに作用する圧縮変形に対する抵抗を利用して踵の落ち込みを抑制する。すなわち、クサビ形の支持部材が着地に伴う圧力により弾性的に変形する。しかし、この変形は踵の落ち込みを十分に抑制できない原因となる。一方、弾性変形するため、突き上げは少ないと考えられるが、シューズの重量が増大し易い。
【０００７】
特許文献３の発明は、前後方向に延びる凸状のリブが設けられたソールにおいて、リブに切込みを形成し、ソールの上方（背屈）への屈曲を許容、下方（底屈）への落ち込みを抑制する。しかし、底屈時にはリブの切込みの先端に高い応力が発生するので、耐久性が著しく低下する。
【０００８】
特許文献４の発明は、ソールの踏付部に補強部を設け、さらに補強部の下面と踵部の下面を滑らかに連ねたリブ状部材を設け、走行中に踵部や中足部から接地しても体重移動をスムーズにおこなえる。しかし、中足部の剛性は高くなるが、踵部や中足部からの接地を前提としており、前足部からの着地で発生する踵の落ち込みを抑制し難い。
【発明の開示】
【０００９】
本発明の目的は、スパイクシューズにおいて、踵の落ち込みを抑制し得ると共に、ソールの屈曲性を妨げたり、重量面での不利が大きかったり、耐久性が低下するおそれのない構造を提供することである。
【００１０】
前記目的を達成するための本発明の構成および原理を図１を用いて説明する。
本スパイクシューズは、スパイクが装着される樹脂製の硬質板１と、引張時に抗力を発揮し、かつ、圧縮時に抗力を発揮しない布帛状の引張材２とを備えている。
前記硬質板１は、足の前後方向に沿った断面において、足のアーチの下方を覆い下方に向かって凸となるように湾曲した湾曲部１０と、前記アーチの前方において爪先を下方から覆う前足部１１と、前記アーチの後方において踵を下方から覆う後足部１２とが一体に連なっている。
前記引張材２は、前記前後方向に離れた第１および第２固着部２１、２２において前記硬質板１の上面に固着されており、前記湾曲部１０の少なくとも一部において前記硬質板１の上面に固着されておらず、かつ、硬質板１の上面から離間している。つまり、前記湾曲部１０と前記引張材２との間には空間Ｓが設けられている。
【００１１】
前記湾曲部１０の曲率が小さくなるように前記硬質板１を変形させようとすると前記引張材２には張力が作用する。走行中の着地時に踵Ｈが矢印Ｚ方向に落ち込もうとすると、前記湾曲部１０の曲率が小さくなろうとするので、前記引張材２に張力が作用して前記湾曲部１０の曲率が小さくなるのを抑制して前記踵Ｈの落ち込みが抑制される。
【００１２】
一方、前記湾曲部１０の曲率が大きくなるように前記硬質板１を変形させようとすると前記引張材２には緩みが生じる。走行中の足の背屈時に、つまり、矢印方向Ｘに足を屈曲させると、湾曲部１０の曲率が大きくなる。そのため、前記引張材２に緩みが生じて前記硬質板１の屈曲を許容する。
【００１３】
本発明において、引張材２を形成する布帛状の部材としては、本質的に伸張しない素材の他に伸び難い素材であって、かつ、緩むことの可能な素材であればよく、織布・不織布などの繊維材の他に、人工皮革などを採用することができる。
【００１４】
図１（ａ）に示すように、前記布帛状の引張材２は、アッパー３と硬質板１との間に配置されてもよい。この場合、湾曲部１０の曲率が小さくなるように硬質板１が変形しようとすると、直ちに引張材２に引張力が作用して踵の落ち込み抑制に寄与するように、引張材２における湾曲部１０に対面する部分を直線的に形成するのが好ましい。
【００１５】
一方、前記布帛状の引張材２はアッパー３の底部の裏面または表面に固着してもよいし、あるいは、図１（ｂ）に示すように、アッパー３の底部自体で形成してもよい。アッパー３の底部は足のアーチに沿って湾曲しているので、引張材２に引張力が作用すると、当該引張材２が平坦に変形しようとする。しかし、スパイクシューズのアッパー３は、通常、ベルトなどの緊締部材で足の甲を締め付けているから、前記アッパー３の底部が平坦に変形するおそれはない。そのため、引張材２に張力が作用して踵の落ち込みが防止される。
【実施例】
【００１６】
以下、本発明の実施例１を図２〜図８に基づいて説明する。
この実施例１においては、図２のアッパー３自体で図５の引張材２が形成されている。図４に示すように、硬質板１には陸上競技用のスパイク４が装着（固着ないし固定）されている。
なお、硬質板１の軽量化のための貫通孔１３は、前記引張材２（図５）を構成しない織布１４で閉塞されている。
【００１７】
図６において、足のアーチＡｒの下方において、通常の硬質板は、当該アーチＡｒに沿って上方に向って凸となるように湾曲しているのに対し、本スパイクシューズの硬質板１の湾曲部１０は、足のアーチＡｒの下方において、当該アーチＡｒとは逆に下方に向かって凸となるように湾曲している。
なお、硬質板１は湾曲部１０の後方において足裏のアーチに沿うように上に向って凸となるように滑らかに湾曲している。
【００１８】
前記のように湾曲部１０が湾曲していることで、アッパー３の底部で形成された引張材２と湾曲部１０との間に空間Ｓが形成される。なお、空間Ｓは、図７の第３中足骨Ｂ４3 の下方の少なくとも一部に設けられていればよく、軽量スポンジなどを充填してもよい。
【００１９】
図８（図７のＣ−Ｃ線の横断面図）に示すように、前記空間Ｓは足の内側から外側まで貫通して連なっているのが好ましい。たとえば、前記引張材２と湾曲部１０とは、少なくとも１つの横断面において足の内側から外側までの全幅にわたって互いに離間しているのが好ましい。
【００２０】
なお、踵の落ち込み抑制効果を妨げない範囲で足の内側から外側までの一部において引張材２と湾曲部１０とが互いに接合されていてもよい。たとえば、図６の湾曲部１０の前端部分および／または後端部分の一部または全部が引張材２に接着されていてもよい。
【００２１】
前記湾曲部１０は足のアーチＡｒの少なくとも一部を覆うように設けられていればよいが、少なくとも、ショパール関節Ｃｈと母趾のＭＰ関節ＭＰ1 の間に設けられる。図５のように、前記湾曲部１０の少なくとも一部がリスフラン関節Ｌの第３中足骨相当部分と第３趾のＭＰ関節ＭＰ3 との間に設けられているのが好ましい。
【００２２】
図２および図３に示すように、アッパー３にはベルト３９のような緊締部材が設けられており、これにより、アッパー３が足の甲や足裏にフィットする。そのため、図６のアッパー３の引張材２としての部位が足裏に沿って湾曲していても、踵の落ち込み時には足長方向に引張力を発揮して、湾曲部１０の変形が抑制され、踵の落ち込みが抑制される。
【００２３】
第１固着部２１の後端の位置は、母趾のＭＰ関節ＭＰ1 よりも後方の位置が好ましく、図７の第３趾のＭＰ関節ＭＰ3 よりも後方の位置が更に好ましい。
【００２４】
第２固着部２２の前端の位置は、踵骨ＢH の下部またはこれよりも前方に設ければよいが、踵骨ＢH の前端近傍、つまり、ショパール関節Ｃｈの近傍に設けるのが好ましい。
【００２５】
なお、中足部付近の空間部に配置される図１（ａ）の引張材２が、ベルトなどでアッパー３と接続され、引張材２の張力の調整を行なってもよい。
【００２６】
また、図９に示すように、踵部を樹脂カウンター１２ｃなどとし、硬質板１と一体構造化したり、当該カウンター１２ｃをベルト３８などでアッパー３と連動して足に固定してもよい。
【産業上の利用可能性】
【００２７】
本発明のスパイクシューズは陸上競技の短距離のほかに種々の競技に用いることが可能である。
【図面の簡単な説明】
【００２８】
【図１】本発明の原理を示すスパイクシューズの概念図である。
【図２】本発明の実施例１を示すスパイクシューズの斜視図である。
【図３】同外側面図である。
【図４】底面側から見た斜視図である。
【図５】足の外側面から見た骨格を付加した図７のＢ−Ｂ線断面図である。
【図６】足の内側面から見た骨格を付加した同断面図である。
【図７】足の骨格の平面図を付加したソールの底面図である。
【図８】図７のＣ−Ｃ線におけるシューズの横断面図である。
【図９】他の例を示すスパイクを省略したシューズの側面図である。
【符号の説明】
【００２９】
１：硬質板
１０：湾曲部
１１：前足部
１２：後足部
２：引張材
２１：第１固着部
２２：第２固着部
３：アッパー
４：スパイク
Ｈ：踵
Ｓ：空間
【図１】
0005109205.tif 000002
【図５】
0005109205.tif 000003
【図６】
0005109205.tif 000004
【図７】
0005109205.tif 000005
【図８】
0005109205.tif 000006
【図９】
0005109205.tif 000007
【図２】
0005109205.tif 000008
【図３】
0005109205.tif 000009
【図４】
0005109205.tif 000010